(57)【要約】  本発明は、使用者（Ｕ）が身体のエクササイズを行うときに用いられるエクササイズ装置（１）であって、前記使用者（Ｕ）が加力することで動く可動部と、前記可動部が動くときに伸長することで前記エクササイズにおける抵抗力を発生させる複数の弾性体と、前記複数の弾性体それぞれに１対１対応で設けられる複数の弾性体切換部と、を備える。前記複数の弾性体それぞれは、一方の端部が前記可動部に固定され、他方の端部が前記可動部以外の箇所に固定され、その際、いずれかは解除可能に固定されている。前記複数の弾性体切換部それぞれは、一操作によるピンのスライド動作によって当該ピンが前記弾性体の前記解除可能な側の端部に設けられた孔に挿通しているか否かによって、当該端部の固定の解除か否かを切り換える構造となっている。
2013190605.tif 000002
【特許請求の範囲】
【請求項１】
使用者が身体のエクササイズを行うときに用いられるエクササイズ装置であって、
前記使用者が加力することで動く可動部と、
前記可動部が動くときに伸長することで前記エクササイズにおける抵抗力を発生させる複数の弾性体と、
前記複数の弾性体それぞれに１対１対応で設けられる複数の弾性体切換部と、を備え、
前記複数の弾性体それぞれは、一方の端部が前記可動部に固定され、他方の端部が前記可動部以外の箇所に固定され、その際、いずれかは解除可能に固定されており、
前記複数の弾性体切換部それぞれは、一操作によるピンのスライド動作によって当該ピンが前記弾性体の前記解除可能な側の端部に設けられた孔に挿通しているか否かによって、当該端部の固定の解除か否かを切り換える構造となっており、
前記使用者が前記エクササイズ装置を用いて身体のエクササイズを行うとき、前記弾性体切換部によって端部の固定が解除されていない前記弾性体によって前記抵抗力が発生し、前記弾性体切換部によって端部の固定が解除されている前記弾性体によっては前記抵抗力が発生しない
ことを特徴とするエクササイズ装置。
【請求項２】
前記弾性部は、
螺旋状で伸縮するバネ本体と、
前記バネ本体の両端それぞれに螺合する溝を有し、形状が変化しない二つ端部と、を有する
ことを特徴とする請求の範囲第１項に記載のエクササイズ装置。
【請求項３】
前記可動部は、
前記エクササイズのときに使用される重りを保持する重り保持部を、さらに備える
ことを特徴とする請求の範囲第１項または第２項に記載のエクササイズ装置。
【発明の詳細な説明】
【技術分野】
【０００１】
本発明は、使用者が身体のエクササイズを行うときに用いられるエクササイズ装置に関する。
【背景技術】
【０００２】
近年、多くの人が、種々の目的でエクササイズ装置を用いて身体のエクササイズを行っている。ここで、「エクササイズ」とは、筋力トレーニングだけでなく、ストレッチ（筋肉や関節を伸ばす柔軟体操）や、血液・リンパ液の流れやカロリー消費を促進するための運動等も含む運動全般を指す。【０００３】
従来のエクササイズ装置としては、例えば特許文献１に開示された装置がある。この装置では、負荷手段として、重り、弾性体（バネ、ゴム）等が挙げられている。負荷手段の種類によって、運動の効果や性質が異なる。【０００４】
例えば、一般的に、プロスポーツ選手による筋力トレーニングではなく、一般の人々の健康の維持や増進のためのストレッチや運動を考えた場合、過度の負荷の防止や、身体の個人差の面から、重りよりも弾性体を用いることが好ましい。理由は、重りの場合、エクササイズの間中、負荷の大きさがずっと同じであるが、弾性体の場合、弾性体の伸びの大きさと負荷の大きさが比例するからである。
【先行技術文献】
【特許文献】
【０００５】
【特許文献１】特開２００８−４９１１６号公報
【発明の概要】
【発明が解決しようとする課題】
【０００６】
しかしながら、従来のエクササイズ装置で複数の弾性体を用いる場合、負荷として用いる弾性体の数を変更しようとすると、弾性体の着脱を行わなければならず、作業が煩雑になるという問題があった。【０００７】
そこで、本発明は、前記事情に鑑みてなされたものであり、複数の弾性体を用いたエクササイズ装置において、負荷として用いる弾性体の数を容易に変更することを課題とする。
【課題を解決するための手段】
【０００８】
前記課題を解決するために、本発明は、使用者が身体のエクササイズを行うときに用いられるエクササイズ装置であって、前記使用者が加力することで動く可動部と、前記可動部が動くときに伸長することで前記エクササイズにおける抵抗力を発生させる複数の弾性体と、前記複数の弾性体それぞれに１対１対応で設けられる複数の弾性体切換部と、を備え、前記複数の弾性体それぞれは、一方の端部が前記可動部に固定され、他方の端部が前記可動部以外の箇所に固定され、その際、いずれかは解除可能に固定されており、前記複数の弾性体切換部それぞれは、一操作によるピンのスライド動作によって当該ピンが前記弾性体の前記解除可能な側の端部に設けられた孔に挿通しているか否かによって、当該端部の固定の解除か否かを切り換える構造となっており、前記使用者が前記エクササイズ装置を用いて身体のエクササイズを行うとき、前記弾性体切換部によって端部の固定が解除されていない前記弾性体によって前記抵抗力が発生し、前記弾性体切換部によって端部の固定が解除されている前記弾性体によっては前記抵抗力が発生しないことを特徴とする。
その他の手段については、後記する。
【発明の効果】
【０００９】
本発明によれば、複数の弾性体を用いたエクササイズ装置において、負荷として用いる弾性体の数を容易に変更することができる。
【図面の簡単な説明】
【００１０】
【図１】本実施形態に係るエクササイズ装置の全体を示す斜視図である。
【図２】（ａ）はエクササイズ装置に用いられるバネの分解図であり、（ｂ）はそのバネの組立図である。
【図３】本実施形態に係るエクササイズ装置の部分図であり、バネが伸びていない状態を示す図である。
【図４】本実施形態に係るエクササイズ装置の部分図であり、バネが伸びている状態を示す図である。
【発明を実施するための形態】
【００１１】
以下、本発明を実施するための形態（以下、「実施形態」と称する。）について、図面を参照して説明する。なお、図１において、上、下、左、右、前、後の向きは図示の通りとし、図３、図４における向きもそれにならうものとする。
【００１２】
図１に示すように、使用者Ｕが身体のうち脚や股関節等のエクササイズ（筋力トレーニングやストレッチ）を行うときに用いられるエクササイズ装置１は、支持部２、斜面枠部３、着座部４、把持部４１、スライド支持部５、押圧部６、プレート保持部７、プレート７１、スライド部７２、バネ収納部８、バネ８１、バネ切換部９、ストッパ１０、ストッパ移動部１１、および、プレート保管部１２を備えて構成される。
【００１３】
支持部２は、底面の略矩形の部材と、鉛直方向の３本の支柱から構成される。
斜面枠部３は、支持部２に対して図示のように、後下から前上に延出するように設けられる。
着座部４は、使用者Ｕが座る部材であり、斜面枠部３に対して直角となる方向に設けられる。
把持部４１は、着座部４に座った使用者Ｕがエクササイズを行うときに自身の体の位置を安定させるために把持する部材である。
【００１４】
スライド支持部５は、斜面枠部３の内側に設けられ、スライド部７２（可動部）がスライドするためのガイド部材である。なお、スライド部７２は、プレート保持部７および押圧部６と一体に構成され、それらとともにスライドする。
押圧部６（可動部）は、使用者Ｕがエクササイズのときに脚で加力する部材である。
プレート保持部７は、エクササイズのときに使用される重りであるプレート７１を保持する部材である。
【００１５】
バネ収納部８は、スライド部７２が動くときに伸長することでエクササイズにおける抵抗力を発生させる複数のバネ８１を収納する部材であり、斜面枠部３に固定されている。
バネ切換部９（弾性体切換部）は、複数のバネ８１それぞれに１対１対応で設けられ、対応するバネ８１による負荷の有無を切り換える手段である（詳細は後記）。
【００１６】
ストッパ１０は、押圧部６の後下方向への移動を制限する部材である。なお、使用者Ｕの体の大きさや硬さなどに応じて、ストッパ１０の根元部分のネジを緩めることでストッパ１０をその根元部分の軸の方向にスライドさせ、その後でそのネジを締めることで、ストッパ１０の位置を変更することができる。
【００１７】
ストッパ移動部１１は、捻ることで、ストッパ１０を、その根元部分の軸の周りに回転移動させるための部材である。
プレート保管部１２は、プレート保持部７に載せないプレート７１を保管しておくための部材である。
【００１８】
次に、図２を参照して、バネ８１の構造について説明する。
図２（ａ）に示すように、バネ８１は、螺旋状で伸縮するバネ本体８１１と、バネ本体８１１の両端それぞれに螺合する溝を有し、形状が変化しない二つ端部（端部８１２、端部８１３）と、を有する。
【００１９】
また、端部８１２、端部８１３には、他の部材への取付用の孔が設けられている。
そして、端部８１３には、ボルトとナットからなる取付具８１５によって、２つの孔を有する矩形で板状の板部８１４が取り付けられる。
【００２０】
図２（ｂ）には、バネ本体８１１、端部８１２、端部８１３、板部８１４、および、取付具８１５を一体に構成したバネ８１が示されている。なお、端部８１２、端部８１３は、それぞれ、バネ本体８１１の両端に捻じ込まれることで挿入され、バネ本体８１１に対して固定される。この固定は、接着剤等によって実現してもよいし、あるいは、端部８１２、端部８１３の螺旋状の溝の外径をバネ本体８１１の内径よりもわずかに大きくしておくことで生じるバネ本体８１１による締め付け力を利用して実現してもよい。
【００２１】
次に、図３、図４を参照して、エクササイズ装置１におけるバネ８１およびその周囲の構成について説明する。なお、図３において、バネ８１、バネ本体８１１、端部８１２、端部８１３、板部８１４、取付具８１５、バネ切換部９、ピン９１については、４つずつあるうちの左端のものにのみ、符号を付している（図４も同様）。
【００２２】
バネ収納部８の内部で、複数のバネ８１それぞれについて、端部８１２がバネ収納部８内に固定され、また、板部８１４の孔にバネ切換部９のピン９１が挿通されることで板部８１４とスライド部７２が解除可能に固定される。そして、板部８１４の孔からバネ切換部９のピン９１が抜ければ、板部８１４とスライド部７２の固定は解除される。
【００２３】
つまり、複数のバネ切換部９それぞれは、一操作（９０度の回転操作）によるピン９１のスライドによって当該ピン９１が板部８１４の孔に挿通しているか否かによって、スライド部７２に対して板部８１４を固定するか否かを切り換える構造となっている。
【００２４】
したがって、使用者Ｕがエクササイズ装置１を用いて身体のエクササイズを行うとき、バネ切換部９によってスライド部７２に対する板部８１４の固定がされているバネ８１によっては抵抗力が発生し、バネ切換部９によってスライド部７２に対する板部８１４の固定が解除されているバネ８１によっては抵抗力が発生しない。
【００２５】
図３では、４本のバネ８１のすべてについて、スライド部７２に対する板部８１４の固定の解除を行っている。このような状態から、内側の２本のバネ８１についてバネ切換部９の操作によってスライド部７２に対する板部８１４の固定を行ってから、使用者Ｕがエクササイズ装置１によるエクササイズを行い、両脚で押圧部６を押し上げ、スライド部７２が前上方向に移動すると、図４に示すように、４本のバネ８１のうち、内側の２本のバネ８１によってのみ抵抗力が発生する。
【００２６】
このように、本実施形態に係るエクササイズ装置１によれば、バネ切換部９を一操作（９０度の回転操作）することで、負荷として用いるバネ８１の数を容易に変更することができる。
【００２７】
また、バネ８１が、螺旋状で伸縮するバネ本体８１１と、バネ本体８１１の両端それぞれに螺合する溝を有し、形状が変化しない二つ端部（端部８１２、端部８１３）と、を有する構造とすることで、従来のバネよりも、金属疲労による破損（断裂、変形等）の可能性を低減することができる。なお、従来のバネは、例えば、螺旋状で伸縮するバネ本体の両端をフック形状に変形することで構成されており、そのフック形状の部分が金属疲労により破損（断裂、変形等）することが多かった。
【００２８】
また、バネ８１とプレート７１を併用できる構造としたことで、バネ８１とプレート７１のそれぞれの長所を活かした柔軟な負荷設定をすることができる。
【００２９】
そして、このようなエクササイズ装置１により、ストレッチと筋力トレーニングを融合、発展させたエクササイズを実現することができる。つまり、エクササイズ装置１について、バネ８１とプレート７１を併用可能とし、また、負荷として用いるバネ８１の数を容易に変更できるようにしたことで、筋力トレーニングを行うアスリートや、健康維持、体質改善、体力や運動能力の低下阻止を行う一般の人々、あるいは、身体機能回復や健康管理を行う傷病者や高齢者などの、幅広い層の人々のいずれにも適するエクササイズ装置１を実現できる。また、端部の金属疲労による破損が起きにくいバネ８１を使用したことで、エクササイズ装置１のメンテナンスの手間や費用を低減することができる。
【００３０】
また、このようなエクササイズ装置１によるエクササイズを行った使用者Ｕにおける効果としては、血流改善による代謝量増加や老化防止や脂肪除去、筋の粘弾性の獲得、神経筋協調能の促進、関節可動域の拡大、安定した生理的応答による抹消循環の改善、靭帯損傷や骨折等の運動器疾患からの早期回復、脳血管障害後の回復、生活習慣病の予防や改善、交換神経系の緊張緩和による睡眠障害改善、インナーマッスルの鍛錬、肩こりや腰痛の防止や軽減などが期待できる。
【００３１】
以上で本実施形態の説明を終えるが、本発明の態様はこれらに限定されるものではない。
例えば、エクササイズ装置１について、バネ８１とプレート７１を併用できる構造としたが、併用ではなく交換する構造としてもよい。
【００３２】
また、エクササイズ装置１によるエクササイズを行う使用者Ｕの対象部位は、脚や股関節のほかに、体幹、腕、首等、他の部位であってもよい。つまり、本実施形態のようなレッグプレス装置のほかに、チェストプレス装置、ラットプルダウン装置等の他の装置であってもよい。
【００３３】
また、バネ８１において固定が解除可能な端部は、スライド部７２に固定される側の端部８１３（板部８１４）でなくても、バネ収納部８に固定される側の端部８１２であってもよい。
【００３４】
なお、エクササイズ装置１における各構成の材質は、本発明の課題を達成できる範囲であれば特に限定されるものではなく、公知の材料（スチール、アルミニウム等の金属、セラミックス、プラスチック、カーボン等）から適宜選択すればよい。
その他、具体的な構成について、本発明の主旨を逸脱しない範囲で適宜変更が可能である。
【符号の説明】
【００３５】
１      エクササイズ装置
２      支持部
３      斜面枠部
４      着座部
５      スライド支持部
６      押圧部
７      プレート保持部
８      バネ収納部
９      バネ切換部
１０    ストッパ
１１    ストッパ移動部
１２    プレート保管部
４１    把持部
７１    プレート
７２    スライド部
８１    バネ
９１    ピン
８１１  バネ本体
８１２  端部
８１３  端部
８１４  板部
８１５  取付具
Ｕ      使用者
【図１】
2013190605.tif 000003
【図２】
2013190605.tif 000004
【図３】
2013190605.tif 000005
【図４】
2013190605.tif 000006
【国際調査報告】
2013190605.tif 000007
2013190605.tif 000008
2013190605.tif 000009